(57)【特許請求の範囲】
【請求項１】
入力されたオーディオ信号を処理して左右の前方、後方およびサブウーハ用スピーカに出力する前出力信号、後出力信号およびサブウーハ出力信号を生成し、該生成した前出力信号、後出力信号およびサブウーハ出力信号を前出力端子、後出力端子およびサブウーハ出力端子から出力するオーディオ信号処理用集積回路において、
前記左右の後出力信号を加算してモノラルの後出力信号を出力する加算器と、
該加算器が出力するモノラルの後出力信号の高域の通過を阻止するローパスフィルタと、
出力が前記後出力端子および前記サブウーハ出力端子に接続されるようになされ、前記加算器で加算される前又は前記ローパスフィルタを通過した後の前記後出力信号の一方を選択して出力する第１のスイッチと
を内蔵することを特徴とするオーディオ信号処理用集積回路。
【請求項２】
請求項１記載のオーディオ信号処理用集積回路において、
前記前出力信号の低域の通過を阻止するハイパスフィルタと、
出力が前記前出力端子に接続され、前記ハイパスフィルタを通過する前又は通過した後の前記前出力信号の一方を選択して出力する第２のスイッチと
を内蔵することを特徴とするオーディオ信号処理用集積回路。
【請求項３】
請求項２記載のオーディオ信号処理用集積回路において、
出力が前記後出力端子に接続され、前記第１のスイッチの出力の信号又は前記第２のスイッチの出力の信号の一方を選択して出力する第３のスイッチを
内蔵することを特徴とするオーディオ信号処理用集積回路。
【請求項４】
入力されたオーディオ信号を処理して左右の前方、後方およびサブウーハ用スピーカに出力する前出力信号、後出力信号およびサブウーハ出力信号を生成し、該生成した前出力信号、後出力信号およびサブウーハ出力信号を前出力端子、後出力端子およびサブウーハ出力端子から出力するオーディオ信号処理用集積回路において、
前記前出力信号の低域の通過を阻止するハイパスフィルタと、
出力が前記前出力端子に接続され、前記ハイパスフィルタを通過する前又は通過した後の前記前出力信号の一方を選択して出力するスイッチと
を内蔵することを特徴とするオーディオ信号処理用集積回路。
【発明の詳細な説明】
【０００１】
【発明の属する技術分野】
本発明はオーディオ信号処理用集積回路に関する。
【０００２】
【従来の技術】
車両用オーディオ回路においては、入力された信号を前方に設置されたスピーカ、後方に設置されたスピーカ、また特に低域を強調するサブウーハスピーカに接続するステレオ信号を生成すると共に、また音量および周波数特性を変化させる回路より構成されている。
【０００３】
図２はオーディオ回路の一構成を示すブロック図である。
従来のオーディオ回路においては、入力されたオーディオ信号は増幅器１０で増幅された後、高域フィルタ１１、中域フィルタ１２および低域フィルタ１３で入力信号を周波数別に分離してそれぞれ減衰器１４，１５および１６に接続し、入力信号の周波数特性を変化させている。
【０００４】
周波数特性が変化された信号は音量調整器１７およびフェーダ１８を介して出力音量が調整され、車両の前方に設置されたスピーカおよび車両の後方に設置されたスピーカに出力する前出力信号および後出力信号が生成出力される。
また、サブウーハ用スピーカに出力される信号は後出力信号より低域通過フィルタ１９を介して生成出力される。
【０００５】
【発明が解決しようとする課題】
前述した従来のオーディオ回路は個別部品により構成されていたためコスト的に高価であり、また前述した高域、中域および低域フィルタの特性も変化できることが要望されている。
このため、フィルタはスイッチドキパシタフィルタまたはディジタル信号処理で行い、音量調整等も電子的に行ってオーディオ回路を半導体集積回路で構成するようにしていた。
【０００６】
オーディオ回路を半導体集積回路で構成する場合に問題となるのは集積回路に入出力する端子（ピン）数である。
一般の集積回路のピン数には規定があり、例えば入出力ピン数が４４以下であればピン数４４のものを使用し、入力ピン数が４５となれば１ランク上のピン数６４の集積回路としなければならない。
【０００７】
ピン数が１ランク上がればピン数は増加して回路設計を容易に行うことができるが、反面パッケージ封入個所よりのリークが増加して信頼性が低下すると共にコスト的にも高くなる。したがって、集積回路の内部回路の設計には入出力ピン数をいかに低下させるかが問題となる。
本発明は入出力端子数を低減させるようにしたオーディオ信号処理用集積回路を提供することを課題とする。
【０００８】
【課題を解決するための手段】
前述した課題を解決するために請求項１の発明においては、入力されたオーディオ信号を処理して左右の前方、後方およびサブウーハ用スピーカに出力する前出力信号、後出力信号およびサブウーハ出力信号を生成し、該生成した前出力信号、後出力信号およびサブウーハ出力信号を前出力端子、後出力端子およびサブウーハ出力端子から出力するオーディオ信号処理用集積回路において、前記左右の後出力信号を加算してモノラルの後出力信号を出力する加算器と、該加算器が出力するモノラルの後出力信号の高域の通過を阻止するローパスフィルタと、出力が前記後出力端子および前記サブウーハ出力端子に接続されるようになされ、前記加算器で加算される前又は前記ローパスフィルタを通過した後の前記後出力信号の一方を選択して出力する第１のスイッチとを集積回路に内蔵している。
【０００９】
集積回路内に、左右の後出力信号を加算してモノラルの後出力信号を出力する加算器と、該加算器が出力するモノラルの後出力信号の高域の通過を阻止するローパスフィルタと、出力が後出力端子およびサブウーハ出力端子に接続されるようになされ、加算器で加算される前又は前記ローパスフィルタを通過した後の後出力信号の一方を選択して出力する第１のスイッチとを内蔵しているので、第１のスイッチによって加算器で加算される前の後出力信号を選択して、後出力端子およびサブウーハ出力端子に後出力信号がそのまま出力される構成と、第１のスイッチによってローパスフィルタを通過した後の後出力信号が選択して、後出力端子およびサブウーハ出力端子にモノラルの後出力信号の高域の通過を阻止された信号、すなわち、モノラルな後出力信号の低音成分のみが出力される構成とが採れるようになる。したがって、同様のことを、モノラルの後出力信号の高域の通過を阻止された信号を出力する第２の後出力端子および第２のサブウーハ出力端子を設けて行うものに比べて、第２の後出力端子および第２のサブウーハ出力端子を設けなくてもよい分、出力端子数を少なくすることができる。
【００１０】
また請求項２の発明においては、前出力信号の低域の通過を阻止するハイパスフィルタと、出力が前出力端子に接続され、ハイパスフィルタを通過する前又は通過した後の前出力信号の一方を選択して出力する第２のスイッチとを内蔵しているので、第２のスイッチによってハイパスフィルタを通過する前の前出力信号を選択して、前出力端子に前出力信号が出力される構成と、第２のスイッチによってハイパスフィルタを通過した後の前出力信号を選択して、前出力端子に前出力信号の低域の通過を阻止された信号、すなわち、前出力信号の高温成分のみが出力される構成とが採れるようになる。したがって、同様のことを、前出力信号の低域の通過を阻止された信号を出力する第２の前出力端子を設けて行うものに比べて、第２の前出力端子を設けなくてもよい分、出力端子数を少なくすることができる。
また請求項３の発明においては、出力が前記後出力端子に接続され、第１のスイッチの出力の信号又は第２のスイッチの出力の信号の一方を選択して出力する第３のスイッチを内蔵しているので、第３のスイッチによって第１のスイッチの出力の信号を選択して、後出力端子に前出力信号が出力される構成又は前出力信号の高温成分のみが出力される構成と、第３のスイッチによって第２のスイッチの出力の信号を選択して、後出力端子に後出力信号がそのまま出力される構成又はモノラルの後出力信号の高域の通過を阻止された信号、すなわち、モノラルな後出力信号の低音が出力される構成とが採れるようになる。したがって、同様のことを個別の端子を設けて行うものに比べて、出力端子数を少なくすることができる。
さらに、請求項４の発明においては、入力されたオーディオ信号を処理して左右の前方、後方およびサブウーハ用スピーカに出力する前出力信号、後出力信号およびサブウーハ出力信号を生成し、該生成した前出力信号、後出力信号およびサブウーハ出力信号を前出力端子、後出力端子およびサブウーハ出力端子から出力するオーディオ信号処理用集積回路において、前出力信号の低域の通過を阻止するハイパスフィルタと、出力が前出力端子に接続され、前記ハイパスフィルタを通過する前又は通過した後の前出力信号の一方を選択して出力するスイッチとを集積回路に内蔵しているので、スイッチによってハイパスフィルタを通過する前の前出力信号を選択して、前出力端子に前出力信号が出力される構成と、スイッチによってハイパスフィルタを通過した後の前出力信号を選択して、前出力端子に前出力信号の低域の通過を阻止された信号、すなわち、前出力信号の高温成分のみが出力される構成とが採れるようになる。したがって、同様のことを個別の端子を設けて行うものに比べて、出力端子数を少なくすることができる。
【００１１】
【発明の実施の形態】
本発明の実施の形態を図１を参照して説明する。図１は本発明の実施例の構成図である。
図１において、従来例で説明した図２と同じ部分は同一符号を付記する。なお、各符号の添字ＲはＲチャンネルの信号を担う構成を示し、添字ＬはＬチャンネル信号を担う構成を示している。
【００１２】
集積回路１には、本願実施例にかかる構成が集積化されて構成されており、Ｒチャンネル用とＬチャンネル用の各フェーダ１８Ｒ，１８Ｌよりそれぞれ出力される後出力信号は加算器７にて加算されてモノラル信号を得る。このモノラル信号はローパスフィルタ（ＬＰＦ）８を通過して低域信号が出力される。各フェーダ１８Ｒ，１８Ｌよりの後出力信号とＬＰＦ８よりの信号はそれぞれスイッチ４Ｒ，４Ｌにより選択される。
【００１３】
各フェーダ１８Ｒ，１８Ｌより出力される前出力信号はそれぞれハイパスフィルタ（ＨＰＦ）５Ｒ，５Ｌを通過して低域成分が阻止されて出力される。このＨＰＦ５Ｒ，５Ｌを通過した信号と前出力信号はそれぞれスイッチ６Ｒ，６Ｌにより選択される。
さらに、スイッチ４Ｒとスイッチ６Ｒにより選択された信号はスイッチ９Ｒにて選択され、スイッチ４Ｌとスイッチ６Ｌにより選択された信号はスイッチ９Ｌにて選択される。
【００１４】
そして、スイッチ６Ｒで選択された信号がＲチャンネルの前出力端子３Ｒとなり、スイッチ４Ｒ，９Ｒで選択された信号がＲチャンネルの後出力端子２Ｒとなり、スイッチ４Ｒで選択された信号がＲチャンネルのプリ出力端子２０Ｒとなる。また、Ｌチャンネル側についても同様である。
【００１５】
かかる構成において、前出力端子３Ｒ，３Ｌにそれぞれ前方用のＲチャンネルおよびＬチャンネル用パワーアンプを接続して該パワーアンプ出力にそれぞれ前方用のＲチャンネルおよびＬチャンネル用スピーカを接続すると共に、後出力端子２Ｒ，２Ｌにはそれぞれ後方用のＲチャンネルおよびＬチャンネル用パワーアンプを接続して該パワーアンプ出力にそれぞれ後方用のＲチャンネルおよびＬチャンネル用スピーカを接続した場合には、スイッチ６Ｒ，６Ｌをフェーダ１８Ｒ，１８Ｌよりの前信号が直接供給される側に設定すると共に、スイッチ４Ｒ，４Ｌをフェーダ１８Ｒ，１８Ｌよりの後信号が直接供給される側に設定し、かつスイッチ９Ｒ，９Ｌをスイッチ４Ｒ，４Ｌ側を選択するように設定する。
【００１６】
このように各スイッチを切り換えることにより、前出力端子３Ｒ，３ＬにはＲチャンネルとＬチャンネルの前信号がそれぞれ導出されて前方用パワーアンプにより前方用スピーカが駆動され、後出力端子２Ｒ，２Ｌにはスイッチ４Ｒ，４Ｌと９Ｒ，９Ｌを通してＲチャンネルとＬチャンネルの後信号がそれぞれ導出されて後方用パワーアンプにより後方用スピーカがそれぞれ駆動される。
【００１７】
また、スイッチ９Ｒ，９Ｌをスイッチ６Ｒ，６Ｌ側に切り換えることにより、フェーダ１８Ｒ，１８Ｌよりの前信号が直接供給されて後方用パワーアンプにより後方用スピーカがそれぞれ駆動される。このとき、フェーダ１８Ｒ，１８Ｌにより前方用スピーカと後方用スピーカに与える信号レベルを独立して、あるいは連動させて調整する。
【００１８】
次に、前出力端子３Ｒ，３Ｌに前方用のＲチャンネルおよびＬチャンネル用パワーアンプを接続して該パワーアンプ出力にそれぞれ前方用のＲチャンネルおよびＬチャンネル用スピーカを接続すると共に、後出力端子２Ｒおよび／または２Ｌにはサブウーハ駆動用のパワーアンプを接続して、この出力端にサブウーハ用スピーカを接続した場合には、スイッチ６Ｒ，６ＬをＨＰＦ５Ｒ，５Ｌを通過した信号側に切り換えると共に、スイッチ４Ｒ，４ＬをＬＰＦ８側に切り換え、かつスイッチ９Ｒ，９Ｌをスイッチ４Ｒ，４Ｌ側に切り換える。
【００１９】
このように各スイッチを切り換えることにより、前出力端子３Ｒ，３Ｌには低域成分が阻止されたＲチャンネルとＬチャンネルの前信号がそれぞれ導出されて前方用パワーアンプにより前方用スピーカが駆動される。また、後出力端子２Ｒ，２Ｌには加算器７とＬＰＦ８を通過した低域モノラル信号が導出され、サブウーハ駆動用パワーアンプによってサブウーハ用スピーカが駆動される。このＨＰＦ５Ｒ，５Ｌにより車両前方に設けられた前方スピーカに与える信号の低域を阻止することにより、前方スピーカより出力される低域の歪みを軽減することができる。なお、このような設定状態において、車両内の音響状況などに応じてスイッチ６Ｒ，６Ｌによりフェーダ１８Ｒ，１８Ｌよりの出力が直接前出力端子３Ｒ，３Ｌに導出されるようにしてもよい。
【００２０】
かかる実施例において、前述した各スピーカを駆動するためのパワーアンプは、例えばパワーＩＣとして集積化されたものを用いてもよく、パワーＩＣを接続した場合、プリ出力端子２０Ｒ，２０ＬにそれぞれＲチャンネル用とＬチャンネル用のパワーアンプを別途接続してこのパワーアンプにより後方用スピーカを駆動するようにしてもよい。また、プリ出力端子２０Ｒ，２０Ｌに外部回路によって加算器２０とＬＰＦ２１と同様の構成のものを接続し、サブウーハ用のパワーアンプを別途接続してこのパワーアンプによりサブウーハ用スピーカを駆動するようにしてもよい。
【００２１】
【発明の効果】
以上説明したように本発明によれば、集積回路内に、加算器と、ローパスフィルタと、第１のスイッチとを集積回路に内蔵し、第１のスイッチによって後出力端子およびサブウーハ出力端子に異なる信号を出力する２つの構成を採ることができるようになっているので、同様の構成を個別に端子を設ける場合に比べて出力端子数を少なくすることができる。
また、ハイパスフィルタと、第２のスイッチとを集積回路に内蔵し、第２のスイッチによって異なる信号を出力する２つの構成を採ることができるようになっているので、同様の構成を個別に端子を設ける場合に比べて出力端子数を少なくすることができる。
また、第３のスイッチを内蔵し、第３のスイッチによって異なる信号を出力する２つの構成を採ることができるようになっているので、同様の構成を個別に端子を設ける場合に比べて出力端子数を少なくすることができる。
【００２２】
また、ハイパスフィルタと、スイッチとを集積回路に内蔵し、スイッチによって異なる信号を出力する２つの構成を採ることができるようになっているので、同様の構成を個別に端子を設ける場合に比べて出力端子数を少なくすることができる。
【図面の簡単な説明】
【図１】本発明の実施例の構成図である。
【図２】従来のオーディオ回路の一構成を示すブロック図である。
【符号の説明】
１                半導体集積回路
２Ｒ，２Ｌ        後出力端子
３Ｒ，３Ｌ        前出力端子
４Ｒ，４Ｌ        スイッチ
５Ｒ，５Ｌ        ハイパスフィルタ
６Ｒ，６Ｌ        スイッチ
７                加算器
８                ローパスフィルタ
９Ｒ，９Ｌ        スイッチ
１０Ｒ，１０Ｌ    増幅器
１１Ｒ，１１Ｌ    高域フィルタ
１２Ｒ，１２Ｌ    中域フィルタ
１３Ｒ，１３Ｌ    低域フィルタ
１４Ｒ，１４Ｌ    減衰器
１５Ｒ，１５Ｌ    減衰器
１６Ｒ，１６Ｌ    減衰器
１７Ｒ，１７Ｌ    音量調整器
１８Ｒ，１８Ｌ    フェーダ
２０Ｒ，２０Ｌ    プリ出力端子
【図１】
0003573981.tif 000002
【図２】
0003573981.tif 000003